【事件の表示】
　特願２００４−３０３４１２号「ヒートポンプシステムの過熱度制御装置及び方法。」拒絶査定不服審判事件〔平成１７年５月１２日出願公開、特開２００５−１２１３６１号〕について、次のとおり審決する。
【結　論】
　本件審判の請求は、成り立たない。
【理　由】
第１　手続の経緯
　本願は、平成１６年１０月１８日の出願（パリ条約による優先権主張２００３年１０月１７日、韓国）であって平成２２年１０月２８日付けで拒絶査定がなされ、これに対し、平成２３年３月２日に拒絶査定不服審判の請求がなされるとともに、その審判の請求と同時に手続補正がなされたものである。
　
第２　平成２３年３月２日付けの手続補正についての補正却下の決定
［補正却下の決定の結論］
　平成２３年３月２日付けの手続補正（以下「本件補正」という。）を却下する。
　
［理由］
１．補正後の本願発明
　本件補正により、特許請求の範囲の請求項１は、次のように補正された。
「ヒートポンプシステムの運転段階と、
　前記段階後、現在の室外温度、圧縮機の配管吸入温度及び低圧値をそれぞれ受信する段階と、
　感知された圧縮機の低圧から低圧側飽和温度を計算する段階と、
　前記感知された圧縮機の吸入温度と感知された低圧側飽和温度差から現在の吸入過熱度を計算する段階と、
　前記受信された室外温度によって予め設定された目標吸入過熱度を前記計算された現在の吸入過熱度と比較して、現在の吸入過熱度が前記目標吸入過熱度を追従するようにシステムを制御する段階を
含み、
　
前記システムを制御する段階は、室外温度が低温であればあるほど、室外ＥＥＶの開度を減少させて、室外温度が高温であればあるほど、室外ＥＥＶの開度を増加させて現在吸入過熱度が目標吸入過熱度と一致するように制御する
　
２．補正の目的
　本件補正は、請求項１に記載した発明を特定するために必要な事項である「システムを制御する段階」について、「前記システムを制御する段階は、室外温度が低温であればあるほど、室外ＥＥＶの開度を減少させて、室外温度が高温であればあるほど、室外ＥＥＶの開度を増加させて現在吸入過熱度が目標吸入過熱度と一致するように制御する」との限定を付加するものであり、かつ、補正前の請求項１に記載された発明と補正後の請求項１に記載される発明の産業上の利用分野及び解決しようとする課題が同一であるので、本件補正は、平成１８年法律第５５号改正附則第３条第１項によりなお従前の例によるとされる同法による改正前の特許法（以下「改正前特許法」という。）第１７条の２第４項第２号の特許請求の範囲の減縮を目的とするものに該当する。
　
３．独立特許要件
　そこで、本件補正後の前記請求項１に記載された発明（以下「本願補正発明」という。）が特許出願の際独立して特許を受けることができるものであるか（改正前特許法第１７条の２第５項において準用する同法第１２６条第５項の規定に適合するか）について以下に検討する。
　
３−１．引用例の記載事項
　Ａ．原査定の拒絶の理由に引用された、特開昭５９−９５３４９号公報（以下「引用例１」という。）には、図面と共に次の事項が記載されている。
　１−ア　「この発明は、冷凍サイクルにおける電気式膨張弁の制御に関するものであり、特に、圧縮機吸入冷媒のスーパヒート量を制御するに際し、スーパヒート量を一定とはせず、例えば暖房運転時外気温が低いときは、ＥＥＲよりも能力を優先してスーパヒートを大きくとるようにしたものである。」（１ページ左下欄１７行〜右下欄２行）
　１−イ　「この発明は、上記従来の欠点を除去するためになされたもので、圧縮機入口冷媒のスーパヒート量を検知し、このスーパヒート量に基づいて電気式膨張弁の開度を制御しかつこの制御に際し、外気温、低圧側圧力、低圧側温度のいずれかが所定の設定値以下のときスーパヒート量が大きくなるようにして、快適性、省エネルギ性を考慮したきめ細かい運転制御が実行できる電気式膨張弁制御装置を提供することを目的とする。」（２ページ左上欄１２〜２０行）
　１−ウ　「次に、以上のように構成されたこの発明の電気式膨張弁制御装置の動作について説明する。暖房運転時の高圧冷媒液がバイパス路１１を通りキヤピラリチユーブ８で断熱膨張し、さらに分岐管１２を経由してキヤピラリチユーブ１０で低圧の圧縮機の吸入管７内の圧力にまで減圧され、温度センサ１３は吸入圧力相当の飽和温度を示すことになる。
　また、この温度は低圧圧力にも相当し外気温とも一定の相関があり、外気温が低ければ当然温度センサ１３も低い温度を示すことになる。
　一方、温度センサ１４は吸入管７に取り付けられているため、吸入温度を示している。この二つの温度センサ１３，１４の検出出力は制御器１５に加えられ、制御器１５によりこの二つの検出出力に基づいてスーパヒート量を演算し、電気式膨張弁４の開度制御を行う。
　次に、この二つの温度センサ１３，１４の信号により電気式膨張弁４のスーパヒートコントロールを実行する状態を第４図のフローチヤートにより説明する。
　図中Ｔｉは吸入温度であり、Ｔｓは飽和温度で、ある一定時間毎に検出され制御器１５に送られてくる信号である。ステップＡでこの二つの信号が制御器１５に送られてくると、ステップＢで制御器１５はスーパヒート量ＳＨ＝Ｔｉ−Ｔｓが演算できる。
　次に、ステップＣで、飽和温度Ｔｓがある設定値Ｔ０以下のときは、低外気温時に相当し、暖房能力は不足しているはずである。そのときはＥＥＲは無視しても能力優先の運転を実行させるために、スーパヒート量ＳＨをある設定値Ｔ３からＴ４の間におさめるようにしたい（ステップＤ）。
　また、飽和温度Ｔｓがある設定値Ｔ０より大きいときは、暖房能力よりもＥＥＲを優先した運転が望ましい。
　以上の点で、特に重要なことは第５図に示すスーパヒート量ＳＨと暖房能力Ｑと外気温（Ｔｏ１＞Ｔｏ２）との相関で分かるように、外気温Ｔｏ２が低いときは外気温Ｔｏ１が高いときより、スーパヒート量ＳＨの大きい方が能力が上昇することである。これにより第４図に示すフローチャートの設定温度はステップＧ，Ｈ，ＩのごとくＴ１＜Ｔ２＜Ｔ３＜Ｔ４という関係を満足することである。
　さらに、スーパヒート量ＳＨが設定巾以下のときは電気膨張弁４の開度Ｅ＊はステップＥにおいて現状開度Ｅより開く＋ΔＥ方向に信号が出され、スーパヒート量ＳＨが設定巾以上のときは電気膨張弁４の開度Ｅ＊はステップＦにおいて現状開度Ｅより閉じる−ｋ・ΔＥ方向に信号が出される。」（２ページ左下欄６行〜３ページ左上欄１５行）
　
　第４図には、飽和温度Ｔｓが設定値Ｔ０以下のとき、ステップＤ，Ｈでスーパヒート量ＳＨを高い設定値Ｔ３，Ｔ４と比較し、スーパヒート量ＳＨが高い設定値巾の下限であるＴ３以下であればステップＦで電気膨張弁４の開度Ｅを減少させ、上限であるＴ４以上であればステップＥで電気膨張弁４の開度Ｅを増加し、一方、飽和温度Ｔｓが設定値Ｔ０以上のとき、ステップＧ，Ｉでスーパヒート量ＳＨを低い設定値Ｔ１，Ｔ２と比較し、スーパヒート量ＳＨが低い設定値巾の下限であるＴ１以下であればステップＦで電気膨張弁４の開度Ｅを減少させ、上限であるＴ２以上であれば電気膨張弁４の開度Ｅを増加して、スーパヒート量がそれぞれの設定値巾内に収まるよう制御を行うことが示されている。
　
　なお、上記記載１−ウに、「スーパヒート量ＳＨが設定巾以下のときは電気膨張弁４の開度Ｅ＊はステップＥにおいて現状開度Ｅより開く＋ΔＥ方向に信号が出され、スーパヒート量ＳＨが設定巾以上のときは電気膨張弁４の開度Ｅ＊はステップＦにおいて現状開度Ｅより閉じる−ｋ・ΔＥ方向に信号が出される」と記載され、第４図の図示事項と逆になっているが、電気膨張弁の開度を減少させるとスーパヒート量が増加することが明らか（例えば、下記引用例２の記載２−ウの「圧縮機の過熱度の値を制御している膨張弁の開度を絞ることで過熱度を上昇させるように制御」参照）であるので、上記図示事項が正しく、上記記載は、「スーパヒート量ＳＨが設定巾以下のときは電気膨張弁４の開度Ｅ＊はステップＦにおいて現状開度Ｅより閉じる−ｋ・ΔＥ方向に信号が出され、スーパヒート量ＳＨが設定巾以上のときは電気膨張弁４の開度Ｅ＊はステップＥにおいて現状開度Ｅより開く＋ΔＥ方向に信号が出される」の誤記であると認められる。
　
　そこで上記記載事項について検討すると、記載１−アには、冷凍サイクルにおける電気式膨張弁の制御について記載され、暖房運転時外気温が低いときは、圧縮機吸入冷媒のスーパヒート量を大きくとるように制御することが記載されている。
　記載１−イには、圧縮機入口冷媒のスーパヒート量を検知し、このスーパヒート量に基づいて電気式膨張弁の開度を制御するに際し、外気温が所定の設定値以下のときスーパヒート量が大きくなるように制御することが記載されている。
　記載１−ウには、この制御方法について記載され、まず、暖房運転時、圧縮機の吸入圧力相当の飽和温度を温度センサ１３で検出し、この飽和温度と外気温の相関から外気温を得ることが記載されている。
　一方、吸入管７に取り付けられた温度センサ１４により圧縮機の吸入温度を検出し、温度センサ１３が検知した吸入圧力相当の飽和温度と温度センサ１４が検出した圧縮機の吸入温度とに基づいてスーパヒート量を演算し、これにより次のような電気式膨張弁４の開度制御を行うことが記載されている。
　ステップＡで検出された吸入温度Ｔｉと飽和温度Ｔｓとが制御器１５に送られ、
　ステップＢで制御器１５は、Ｔｉ−Ｔｓ、すなわち吸入温度Ｔｉと飽和温度Ｔｓの差によりスーパヒート量ＳＨを演算し、
　ステップＣで飽和温度Ｔｓと外気温との一定の相関を利用し、飽和温度Ｔｓが設定値Ｔ０以下のときは、低外気温であるとしてスーパヒート量ＳＨの設定値を高い値に設定し（ステップＤ）、Ｔ０以上のときは高外気温であるとして低い値に設定し（ステップＧ）、
スーパヒート量と設定値とを比較した結果に応じて、スーパヒート量が設定値より高ければ電気膨張弁４の開度を現行開度Ｅより開き（ステップＥ）、設定値より低ければ閉じる（ステップＦ）ようにして、スーパヒート量が設定値となるように制御する。
　
　これら記載事項及び図示内容を総合し、本願補正発明の記載ぶりに則って整理すると、引用例１には、次の発明（以下「引用発明」という。）が記載されている。
「冷凍サイクルの暖房運転ステップと、
　前記ステップ後、現在の圧縮機の吸入圧力相当の飽和温度Ｔｓ及び圧縮機の吸入温度Ｔｉをそれぞれ検出するステップと、
　前記検出した飽和温度Ｔｓと検出した吸入温度Ｔｉの差から現在のスーパヒート量ＳＨを演算するステップと、
　前記検出した飽和温度Ｔｓとの一定の相関を利用して得た外気温に応じて予め設定されたスーパヒート量の設定値を前記演算された現在のスーパヒート量と比較して、現在のスーパヒート量が前記設定値となるように冷凍サイクルを制御するステップを含み、
　前記冷凍サイクルを制御するステップは、外気温が所定値Ｔ０以下であれば高い設定値を設定し、所定値Ｔ０以上であれば低い設定値を設定し、現在のスーパヒート量が設定されたスーパヒート量以下であれば電気膨張弁の開度を現行開度より閉じ、設定されたスーパヒート量以上であれば電気膨張弁の開度を現行開度より開くようにして、現在のスーパヒート量が設定スーパヒート量となるよう制御する冷凍サイクルのスーパヒート量制御方法。」
　
　Ｂ．原査定の拒絶の理由に引用された、特開２００１−１０８３２３号公報（以下「引用例２」という。）には、図面と共に概略次の事項が記載されている。
　２−ア　空気調和装置における、膨張弁制御による圧縮機の過熱度制御について、外気温度が低温度になるにしたがって圧縮機の過熱度を多くとるようにすること、すなわち、外気温度Ｔoutが２８°を越える場合過熱度ΔｔSHの目標値を４に、２８°〜２２°で６に、２２°以下で８とすること。（段落【０１１１】〜【０１１３】、【表６】参照）
　また、引用例２には、次の記載がある。
　２−イ　「また、室外機には外気温度を検出する外気温センサ４０・・・が設けられている。」（段落【００２４】）
　２−ウ　「外気温度の低下変化に応じて圧縮機過熱度の値を制御している膨張弁の開度を絞ることで過熱度を上昇させるように制御して」（段落【０１３１】）
　
　Ｃ．原査定の拒絶の理由に引用された、特開平１０−１０３７９１号公報（以下「引用例３」という。）には、図面と共に概略次の事項が記載されている。
　３−ア　空気調和機において、外気温度Ｔｏに応じて、Ｔｏが１５℃以上のとき５℃，Ｔｏが１０〜１５℃のとき１０℃，Ｔｏが１０℃以下のとき１３℃と、外気温度が低いほど高くなる三段階のスーパヒート量目標値ΔＴcj１を設定し、電動膨張弁の開度を制御すること。（段落【００４７】等参照）
　また、引用例３には次の記載がある。
　３−イ　「・・・室外ファン２５によって形成される室外空気の吸込み流路に、外気温度センサ２６が設けられる。外気温度センサ２６は、室外熱交換器２３の配置の雰囲気温度つまり外気温度Ｔｏを検出する。」（段落【００２８】）
　
３−２．対比
　ア．　本願補正発明と引用発明とを対比すると、各文言の意味、機能または作用等からみて、引用発明の「冷凍サイクル」は、本願補正発明の「ヒートポンプシステム」に相当し、同様に、「冷凍サイクルの暖房運転ステップ」は「ヒートポンプシステムの運転段階」に相当する。
　イ．　引用発明の「前記段階後、現在の圧縮機の吸入圧力相当の飽和温度Ｔｓ及び圧縮機の吸入温度Ｔｉをそれぞれ検出するステップ」と、本願発明の「前記段階後、現在の室外温度、圧縮機の配管吸入温度及び低圧値をそれぞれ受信する段階」とを対比すると、引用発明の「圧縮機の吸入温度Ｔｉ」を「検出するステップ」は、本願補正発明の「圧縮機の配管吸入温度」を「受信する段階」に相当する。
　ウ．　引用発明の「前記検出した飽和温度Ｔｓと検出した吸入温度Ｔｉの差から現在のスーパヒート量ＳＨを演算するステップ」は、本願補正発明の「前記感知された圧縮機の吸入温度と感知された低圧側飽和温度差から現在の吸入過熱度を計算する段階」に相当する。
　エ．　引用発明の「前記検出した飽和温度Ｔｓとの一定の相関を利用して得た外気温に応じて予め設定されたスーパヒート量の設定値を前記演算された現在のスーパヒート量と比較して、現在のスーパヒート量が前記設定値となるように冷凍サイクルを制御するステップ」と、本願補正発明の「前記受信された室外温度によって予め設定された目標吸入過熱度を前記計算された現在の吸入過熱度と比較して、現在の吸入過熱度が前記目標吸入過熱度を追従するようにシステムを制御する段階」とを対比すると、引用発明の「検出した飽和温度Ｔｓとの一定の相関を利用して得た外気温」は、「外気温」が検出した飽和温度Ｔｓとの一定の相関を利用して得られた点を除き本願補正発明の「室外気温」に相当し、同様に、「外気温に応じて予め設定されたスーパヒート量の設定値」は「室外温度によって予め設定された目標吸入過熱度」に相当し、「予め設定されたスーパヒート量の設定値を前記演算された現在のスーパヒート量と比較」は「予め設定された目標吸入過熱度を前記計算された現在の吸入過熱度と比較」に相当し、「現在のスーパヒート量が前記設定値となるように冷凍サイクルを制御するステップ」は「現在の吸入過熱度が前記目標吸入過熱度を追従するようにシステムを制御する段階」に実質的に相当するので、結局前者は、「室外気温」に相当する「外気温」が検出した飽和温度Ｔｓとの一定の相関を利用して得られた点を除いて後者に相当する。
　オ．　次に、引用発明の「前記冷凍サイクルを制御するステップは、外気温が所定値Ｔ０以下であれば高い設定値を設定し、所定値Ｔ０以上であれば低い設定値を設定し、現在のスーパヒート量が設定されたスーパヒート量以下であれば電気膨張弁の開度を現行開度より閉じ、設定されたスーパヒート量以上であれば電気膨張弁の開度を現行開度より開くようにして、現在のスーパヒート量が設定スーパヒート量となるよう制御する冷凍サイクルのスーパヒート量制御方法」と、本願補正発明の「前記システムを制御する段階は、室外温度が低温であればあるほど、室外ＥＥＶの開度を減少させて、室外温度が高温であればあるほど、室外ＥＥＶの開度を増加させて現在吸入過熱度が目標吸入過熱度と一致するように制御することを特徴とするヒートポンプシステムの過熱度制御方法」とを対比する。
　ここで、本願補正発明の上記記載部分は、記載内容がかならずしも明確ではないが、上記記載は、本願明細書の段落【００５２】、【００５７】〜【００５８】等の記載を参酌すると、室外温度が低温であればあるほど目標過熱度を高い値に設定し、室外温度が高温であればあるほど目標過熱度を低い値に設定することと、現在吸入過熱度が設定された目標過熱度より低ければ室外ＥＥＶの開度を減少させ、現在吸入過熱度が設定された目標過熱度より高ければ室外ＥＥＶの開度を増加させて、現在吸入過熱度が設定された目標過熱度と一致するように制御することとを混在させて記載したものと解される。
　すなわち、上記記載部分は、より正確には「前記システムを制御する段階は、室外温度が低温であればあるほど高い目標過熱度が設定され、目標過熱度より現在吸入過熱度が低い場合室外ＥＥＶの開度を減少させ、室外温度が高温であればあるほど低い目標過熱度が設定され、目標過熱度より現在吸入過熱度が高い場合室外ＥＥＶの開度を増加させて、現在吸入過熱度が目標吸入過熱度と一致するように制御することを特徴とするヒートポンプシステムの過熱度制御方法」であると言い換えることができる。
　そこで、このように言い換えた本願補正発明の上記記載部分と、引用発明の上記記載部分とを対比すると、引用発明の「外気温が所定値Ｔ０以下であれば高い設定値を設定し、所定値Ｔ０以上であれば低い設定値を設定し」と、本願補正発明の「室外温度が低温であればあるほど高い目標過熱度が設定され」「室外温度が高温であればあるほど低い目標過熱度が設定され」とは、「室外温度が低温であれば高い目標過熱度が設定され」「室外温度が高温であれば低い目標過熱度が設定され」る点で共通する。
　また、引用発明の「現在のスーパヒート量が設定されたスーパヒート量以下であれば電気膨張弁の開度を現行開度より閉じ、設定されたスーパヒート量以上であれば電気膨張弁の開度を現行開度より開くようにして、現在のスーパヒート量が設定スーパヒート量となるよう制御する冷凍サイクルのスーパヒート量制御方法」は、本願補正発明の「目標過熱度より現在吸入過熱度が低い場合室外ＥＥＶの開度を減少させ」「目標過熱度より現在吸入過熱度が高い場合室外ＥＥＶの開度を増加させて、現在吸入過熱度が目標吸入過熱度と一致するように制御することを特徴とするヒートポンプシステムの過熱度制御方法」に相当する。
　
　そこで、本願補正発明の用語を用いて表現すると、両者は次の点で一致する。
（一致点）
「ヒートポンプシステムの運転段階と、
　前記段階後、現在の圧縮機の配管吸入温度を受信する段階と、
　前記感知された圧縮機の吸入温度と感知された低圧側飽和温度差から現在の吸入過熱度を計算する段階と、
　室外温度によって予め設定された目標吸入過熱度を前記計算された現在の吸入過熱度と比較して、現在の吸入過熱度が前記目標吸入過熱度を追従するようにシステムを制御する段階を含み、
　前記システムを制御する段階は、室外温度が低温であれば高い目標過熱度が設定され、目標過熱度より現在吸入過熱度が低い場合室外ＥＥＶの開度を減少させ、室外温度が高温であれば低い目標過熱度が設定され、目標過熱度より現在吸入過熱度が高い場合室外ＥＥＶの開度を増加させて、現在吸入過熱度が目標吸入過熱度と一致するように制御するヒートポンプシステムの過熱度制御方法。」
　
　そして、両者は次の点で相違する（対応する引用発明（引用例記載）の用語を（　）内に示す）。
（相違点１）
　本願補正発明は、現在の室外温度を受信し、受信された室外温度によって目標吸入過熱度を予め設定するのに対し、引用発明は、検出した飽和温度Ｔｓとの一定の相関を利用して室外温度（外気温）を得、この室外温度（外気温）に応じて目標過熱度（スーパヒート量の設定値）を予め設定する点。
　
（相違点２）
　本願補正発明は、現在の低圧値を受信し、感知された圧縮機の低圧から低圧側飽和温度を計算しているのに対し、引用発明は、現在の低圧側飽和温度（飽和温度Ｔｓ）を検出している点。
　
（相違点３）
　「室外温度が低温であれば高い目標過熱度が設定され」「室外温度が高温であれば低い目標過熱度が設定され」る点について、本願補正発明は「室外温度が低温であればあるほど高い目標過熱度が設定され」「室外温度が高温であればあるほど低い目標過熱度が設定され」るのに対し、引用発明は「外気温が所定値Ｔ０以下であれば高い設定値を設定し、所定値Ｔ０以上であれば低い設定値を設定」する点。
　すなわち、本願補正発明では、室外温度の高低に応じて、多段階の目標過熱度が設定されるのに対して、引用発明では、室外温度（外気温）がＴ０より高い場合と低い場合に応じてそれぞれ一つの目標過熱度（設定値）が設定されている点。
　
３−３．相違点の判断
　上記相違点について検討する。
（相違点１について）
　直接室外温度（外気温）を検出することは、例えば、引用例２に、空気調和装置において外気温センサ４０で外気温を検出すること（記載２−イ参照）が記載され、引用例３に空気調和機において外気温度センサ２６で外気温を検出すること（記載３−イ参照）が記載され、また例えば、特開昭６２−２９９６５９号公報に、ヒートポンプ式空気調和機において室外気温センサー２０で室外気温を検出することが記載（２ページ右欄７〜１２行参照）されているように周知な事項であるので、検出した飽和温度Ｔｓとの一定の相関を利用して室外温度（外気温）を得ることに代え、該周知事項を引用発明に適用して室外温度（外気温）を検出するようにし、相違点１に係る本願補正発明の発明特定事項のようにすることは、当業者が適宜なし得たことである。
　
（相違点２について）
　引用例１に、「温度センサ１３は吸入圧力相当の飽和温度を示すことになる」（記載１−ウ参照）とあるように、冷媒の吸入圧力と飽和温度との間には対応関係があり、一方より他方を求めることができることは良く知られており、例えば、原査定において周知例として引用した特開平１０−３２５６２１号公報（「圧縮機入口の圧力から算出された飽和凝縮温度」：段落【００１９】参照）や、特開平５−１１８６７０号公報（「冷媒流入圧力Ｐ１に基づいて計算される冷媒の飽和温度Ｔ５」：段落【００１０】〜【００１１】参照）にも示されるように周知であることから、引用発明に該周知事項を適用し、直接低圧側飽和温度（飽和温度Ｔｓ）を検出することに代え、圧縮機の低圧（吸入圧力）を検知し、これより低圧側飽和温度（飽和温度Ｔｓ）を計算するようにして、相違点２に係る本願補正発明の発明特定事項のようにすることは当業者が適宜なし得たことである。
　
（相違点３について）
　引用例２に、空気調和装置において、外気温Ｔoutの高さに応じ４，６，８と外気温が低いほど高くなる三段階の過熱度ΔｔSHを設定し、膨張弁の開度を制御することが記載され（記載事項２−ア参照）、引用例３に、空気調和機において、外気温度Ｔoに応じて、５，１０，１３℃と外気温度が低いほど高くなる三段階のスーパヒート量目標値ΔＴcj１を設定し、電動膨張弁の開度を制御することが記載されている（記載事項３−ア参照）ように、室外気温の高さに応じ、二段以上の多段階の目標吸入過熱度を設定することが公知であるので、引用例２または引用例３に記載された上記事項を引用発明に適用し、目標過熱度（設定値）を室外気温（外気温）の高さに応じて多段階で設定するようにし、室外温度（外気温）が低温であればあるほど、高い目標過熱度（設定値）が設定され、室外温度（外気温）が高温であればあるほど、低い目標過熱度（設定値）が設定されるようにして、相違点３に係る本願補正発明の発明特定事項のようにすることは当業者が容易に想到し得たことである。
　
　そして、本願補正発明による効果も、引用発明及び引用例２，３に記載された事項並びに周知技術から当業者が予測し得た程度のものであって、格別のものとはいえない。なお、室外温度が低温の時、冷媒の流量を絞り過熱度を上げると圧縮機の液圧縮を防止できるという作用効果は、例えば上記（相違点１について）において例示した特開昭６２−２９９６５９号公報に示すように周知なものにすぎないことを申し添える。
　
　したがって、本願補正発明は、引用発明及び引用例２，３に記載された事項並びに周知技術に基づいて、当業者が容易に発明をすることができたものであるので、特許法第２９条第２項の規定により、特許出願の際独立して特許を受けることができない。
　
３−４．むすび
　以上のとおり、本件補正は、改正前特許法第１７条の２第５項において準用する同法第１２６条第５項の規定に違反するので、同法第１５９条第１項において読み替えて準用する同法第５３条第１項の規定により却下すべきものである。
　
　なお、請求人は、回答書において、請求項２を組み込むことにより本願補正発明をさらに補正する機会を得ることを希望しているが、補正事項である「前記目標吸入過熱度は、前記室外温度が低ければ低いほど、増加された値に設定された」点は、上記（相違点３について）の判断で、すでに当業者が容易に想到し得たことであると判断されるので、請求人の上記希望には応じられないことを申し添える。
　
第３　本願発明について
１．本願発明
　本件補正は、上記のとおり却下されたので、本願の請求項１に係る発明（以下、同項記載の発明を「本願発明」という。）は、平成２２年７月２０日付けの手続補正書により補正された特許請求の範囲の請求項１に記載された事項により特定される、以下のとおりのものである。
「ヒートポンプシステムの運転段階と、
　前記段階後、現在の室外温度、圧縮機の配管吸入温度及び低圧値をそれぞれ受信する段階と、
　感知された圧縮機の低圧から低圧側飽和温度を計算する段階と、
　前記感知された圧縮機の吸入温度と感知された低圧側飽和温度差から現在の吸入過熱度を計算する段階と、
　前記受信された室外温度によって予め設定された目標吸入過熱度を前記計算された現在の吸入過熱度と比較して、現在の吸入過熱度が前記目標吸入過熱度を追従するようにシステムを制御する段階を含むことを特徴とするヒートポンプシステムの過熱度制御方法。」
　
２．引用例の記載事項
　原査定の拒絶の理由に引用された引用例、及び、その記載事項は、前記「第２」「３−１」に記載したとおりである。
　
３．対比・判断
　本願発明は、前記「第２」「１」の本願補正発明から、「システムを制御する段階」の限定事項である「前記システムを制御する段階は、室外温度が低温であればあるほど、室外ＥＥＶの開度を減少させて、室外温度が高温であればあるほど、室外ＥＥＶの開度を増加させて現在吸入過熱度が目標吸入過熱度と一致するように制御する」との構成を省いたものである。
　そうすると、本願発明の発明特定事項をすべて含み、さらに、他の発明特定事項を付加したものに相当する本願補正発明が、前記「第２」「３−３」に記載したとおり、引用発明及び引用例２，３に記載された事項並びに周知技術に基づいて、当業者が容易に発明をすることができたものであるから、本願発明も、同様に、引用発明及び引用例２，３に記載された事項並びに周知技術に基づいて、当業者が容易に発明をすることができたものである。
　
４．むすび
　以上のとおり、本願発明は、引用発明及び引用例２，３に記載された事項並びに周知技術に基づいて、当業者が容易に発明をすることができたものであるから、特許法第２９条第２項の規定により、特許を受けることができない。
　したがって、本願は、他の請求項について検討するまでもなく、拒絶すべきものである。
　よって、結論のとおり審決する。